(57)【特許請求の範囲】
【請求項１】
差込みコネクタ（１）であって、絶縁物ハウジング（２）が、導電性接触ピン（１５）を導入するため第１のハウジング側（７）にある少なくとも１つの接触ピン差込み開口（８）と、電気導体（１３）の絶縁物のない端部（１４）を導入するため第２のハウジング側（５）にある少なくとも１つの導体差込み開口（６）とを持ち、
１対の接触ピン差込み開口（８）及び導体差込み開口（６）に共通な導体接続空間（４）が付属し、導体差込み開口（６）が導体接続空間（４）へ通じ、接触ピン差込み開口（８）が導体接続空間（４）へ至る通路（９）を持ち、
導体接続空間（４）にあるばね力締付け接続部がばね素子（３）を持ち、このばね素子（３）が、ばね力により、１対の接触ピン差込み開口（８）及び導体差込み開口（６）の延在方向に交差して変位可能な締付け端部（１２）を持ち、電気導体（１３）の絶縁物のない端部（１４）を導体差込み開口（６）へ導入する際、絶縁物のない端部（１４）が接触ピン差込み開口（８）の方へ押付けられるものにおいて、
少なくとも１つの接触ピン差込み開口（８）が、第１のハウジング側（７）から第２のハウジング側（５）へ向くその延在方向における長さにわたって、第２のハウジング側（５）の方向において締付け端部（１２）より上にありかつ第１のハウジング側（７）の方向において締付け端部（１２）より下にある範囲に、接触ピン差込み開口（８）への移行部に隣接して導体接続空間（４）の対向する側壁の間の幅（Ｂ２）より小さい通路（９）の幅（Ｂ１）を持っている
ことを特徴とする、差込みコネクタ。
【請求項２】
導体接続空間（４）へ至る接触ピン差込み開口（８）の通路の幅（Ｂ１）が差込みコネクタ（１）に対して規定される電気導体（１３）の最少許容公称断面に合わされて、接触ピン（１５）が差込まれていない時、絶縁物のない端部（１４）が、接触ピン（１５）のための自由空間をそのままにして、その断面の一部を通路（９）へ没入するようにし、接触ピン（１５）が導体接続空間（４）の方へ向く導体接触部分（１６）を通路（９）へ没入し、その際電気導体（１３）の絶縁物のない端部（１４）が導体接触部分（１６）と接触し、かつ付属するばね素子（３）のばね力に抗して変位できるように、通路（９）が接触ピン（１５）に合わされていることを特徴とする、請求項１に記載の差込みコネクタ。
【請求項３】
接触ピン差込み開口（８）が、それぞれ付属する少なくとも１つの導体接続空間（４）へ至る少なくとも１つの通路（９）に、それぞれの導体接続空間（４）から接触ピン差込み開口（８）の方へ狭くなる通路幅を持っていることを特徴とする、請求項１又は２に記載の差込みコネクタ。
【請求項４】
接触ピン差込み開口（８）が、通路（９）において導体接続空間（４）に隣接して、断面を部分円状に先細にされていることを特徴とする、請求項３に記載の差込みコネクタ。
【請求項５】
断面が部分円状の通路（９）の半径が、差込みコネクタ（１）用電気導体（１３）の所定の公称断面に合わされ、これになるべく一致していることを特徴とする、請求項１に記載の差込みコネクタ。
【請求項６】
少なくとも１つの接触ピン差込み開口（８）の通路（９）が、接触ピン差込み開口（８）から導体接続空間（４）の方へ先細になっていることを特徴とする、先行する請求項の１つに記載の差込みコネクタ。
【請求項７】
接触ピン差込み開口（８）に、対向する２つの導体差込み開口が付属して、それぞれの導体接続空間（４）へ通じ、付属する接触ピン差込み開口（８）が２つの対向する通路（９）を持ち、これらの通路がそれぞれ１つの導体接続空間（４）へ通じていることを特徴とする、先行する請求項の１つに記載の差込みコネクタ。
【請求項８】
絶縁物ハウジング（２）が、少なくとも１つの接触ピン差込み開口（８）の範囲に、接触ピン差込み開口（８）へ導入される接触ピン（１５）の頭部の位置固定用絶縁物かぶさり部（１１）を持っていることを特徴とする、先行する請求項の１つに記載の差込みコネクタ。
【請求項９】
ばね素子（３）の締付け端部（１２）が、付属する導体差込み開口（６）へ導入される電気導体（１３）なしの応力を除かれた状態で、接触ピン差込み開口（８）へ入り込んでいないことを特徴とする、先行する請求項の１つに記載の差込みコネクタ。
【請求項１０】
ばね素子（３）の締付け部分（１２）が、付属する導体差込み開口（６）へ導入される電気導体（１３）なしの応力を除かれた状態で、接触ピン差込み開口（８）に隣接する導体接続空間（４）の横壁に当たっていることを特徴とする、請求項９に記載の差込みコネクタ。
【請求項１１】
接触ピン（１５）とばね素子（３）の締付け部分（１２）との間で通路（９）内を可動な導電性中間壁（Ｚ）を有することを特徴とする、先行する請求項の１つに記載の差込みコネクタ。
【請求項１２】
中間壁（Ｚ）が通路（９）の中へ揺動可能に絶縁物ハウジング（２）内に支持されていることを特徴とする、請求項１１に記載の差込みコネクタ。
【請求項１３】
中間壁（Ｚ）が接触ピン差込み開口（８）に形成される案内部により、導体接続空間（４）の方へ移動可能に支持されていることを特徴とする、請求項１１に記載の差込みコネクタ。
【請求項１４】
中間壁（Ｚ）が、通路（９）に隣接する導体接続空間（４）の横壁と共同作用しかつ接触ピン差込み開口（８）内への中間壁（Ｚ）の移動を限定するストッパを形成するストッパを持っていることを特徴とする、請求項１１〜１３の１つに記載の差込みコネクタ。
【発明の詳細な説明】
【技術分野】
【０００１】  本発明は、差込みコネクタであって、絶縁物ハウジングが、導電性接触ピンを導入するため第１のハウジング側にある少なくとも１つの接触ピン差込み開口と、電気導体の絶縁物のない端部を導入するため第２のハウジング側にある少なくとも１つの導体差込み開口とを持ち、１対の接触ピン差込み開口及び導体差込み開口に共通な導体接続空間が付属し、導体差込み開口が導体接続空間へ通じ、接触ピン差込み開口が導体接続空間へ至る通路を持ち、導体接続空間にあるばね力締付け接続部がばね素子を持ち、このばね素子が、ばね力により、１対の接触ピン差込み開口及び導体差込み開口の延在方向に交差して変位可能な締付け部分を持ち、電気導体の絶縁物のない端部を導体差込み開口へ導入する際、絶縁物のない端部が接触ピン差込み開口の方へ押付けられるものに関する。【０００２】  ばね力締付け接続部により電気導体をねじなしで差込みコネクタと接触させ、ばね力締付け接続部を介して接触ピンと電気的に接触させるために、このような差込みコネクタが使用される。接触ピンは、例えば印刷配線板にろう付けされるか、又は差込みコネクタ上へはめられる相手差込みコネクタへの接続を行うことができる。
【背景技術】
【０００３】  国際公開第００／３１８３０号は、印刷配線板接続端子の形のこのような差込みコネクタを開示している。電気導体は、接触ばねにより、印刷配線板にろう付け可能な接触ピンへ押付けられるので、電気導体と接触ピンとの間に導電接触が行われる。導体導入開口の下縁は接触ピンの上縁と一直線をなす。電気導体をハウジングへ導入する前に組込まれるため接触ピンが設けられているので、接触ピンと電気導体は共通な導体接続空間を分割する。そうしないと、電気導体がばね力により接触ピン用収容空間へ押込まれ、接触ピンを移動させて、電気導体の導入後接触ピンを後から差込みコネクタへ導入できないようにする。【０００４】  ドイツ連邦共和国特許出願公開第１０２００７０１８４４３号明細書は最初にあげた種類の差込みコネクタを開示しており、電気導体が、構造的に許容される移動範囲内で、その導体軸線に交差してなるべく平行移動可能である。その際板ばね締付け接続部の板ばね端部は、接触ピンに対向する電気導体の側に当接するようにする。こうして板ばねの締付け力は、電気導体を接触ピンの方へ押付ける。この場合移動範囲は、絶縁物ハウジングにある導体導入開口の範囲で締付け個所より上に設けられ、導体導入開口の部分を形成して、断面で見て導体導入開口が移動範囲と共に、移動範囲の高さで、移動範囲より上の導体導入開口により規定される導体導入開口の対称軸上にある。移動範囲より下で、導体接続空間と接触ピン導入開口は互いに移行して、接触ピンが差込みコネクタへ差込まれている時、電気導体がばね力により接触ピン導入開口へ押込まれるようにする。
【発明の概要】
【発明が解決しようとする課題】
【０００５】  本発明の課題は改善された差込みコネクタを提供し、接触ピンが差込まれない場合、接触ピン差込み開口が、締付けられる電気導体から空けられるけれども、接触ピンの導入の際ばね力に抗して電気導体の十分な移動と、それに伴って電気導体と接触ピンとの確実な電気的接触が行われるようにすることである。
【課題を解決するための手段】
【０００６】  最初にあげた種類の差込みコネクタにおいてこの課題は、少なくとも１つの接触ピン差込み開口が、第１のハウジング側から第２のハウジング側へ向くその延在方向における長さにわたって、第２のハウジング側の方向において締付け部分より上にありかつ第１のハウジング側の方向において締付け部分より下にある範囲に、接触ピン差込み開口への移行部に隣接して導体接続空間の対向する側壁の間の幅より小さい通路の幅を持っていることによって、解決される。【０００７】  導体接続空間へ至る接触ピン差込み開口の通路の減少した幅は、導体接続空間と接触ピン差込み空間の空間的分離を行い、電気導体の絶縁物のない端部がばね素子により接触ピン差込み開口へ押込まれて、この差込み開口をふさぎ、それにより接触子差込み開口への接触ピンの導入が阻止されるのを防止する。更に導体接続空間へ至る接触ピン差込み開口の通路は、部分的にこの通路へ入り込むことがある電気導体の移動範囲として用いられて、接触ピンの導入後電気導体をばね力に抗して導体接続空間の方へ押し戻す。こうして接触ピンと電気導体の絶縁物のない端部との一層確実な電気的接触が保証される。電気導体の絶縁物のない端部は、ばね素子により接触ピンへ押付けられる。【０００８】  導体差込み開口の範囲にある電気導体が、従来のようにばね力に抗して導体差込み開口内で移動可能ではなくて、接触ピン差込み開口の通路へ入り込むことができることは、接触ピン差込み開口を空けておくため、及び一層確実な接触のため接触ピンにより電気導体の絶縁物のない端部を導体接続空間の方へ移動させるために重要である。従って減少した直径即ち減少した通路幅を持つ通路を、絶縁物ハウジングにある導体接続空間への移行部に隣接して、接触ピン差込み開口に設けることが提案される。【０００９】  通路は、導体差込み開口が導体接続空間への移行部に持つ導体差込み開口輪郭の完全に外側にあるようにするのがよい。【００１０】  差込みコネクタは、通常電気導体の所定の最少許容公称断面及び所定の最大許容公称断面を持っている。導体接続空間へ至る接触ピン差込み開口の通路の幅が差込みコネクタに対して規定される電気導体の最少許容公称断面に合わされて、接触ピンが差込まれていない時、絶縁物のない端部が、接触ピンのための自由空間をそのままにして、その断面の一部を通路へ没入するようにすると、有利である。接触ピンが導体接続空間の方へ向く導体接触部分を通路へ没入し、その際電気導体の絶縁物のない端部が導体接触部分と接触し、かつ付属するばね素子のばね力に抗して変位できるように、通路が接触ピンに合わされている。【００１１】  それにより通路は、電気導体の最少許容公称断面すなわち電気導体の絶縁物のない端部の最少許容直径より小さい通路幅を持つ少なくとも１つの範囲を持っている。接触ピンが差込まれていない時、こうして電気導体の絶縁物のない端部が接触ピン差込み開口をふさぐのを防止される。これに反し接触ピンが、電気導体のない端部を移動しながら、ばね力に抗して接触ピン差込み開口へ差込まれ、その際電気導体の絶縁物のない端部が接触ピンの導体接触部分に接触するように、接触ピンが形成されている。【００１２】  接触ピンの導体接���部分は例えば前方湾曲部であってもよいが、その幅は電気導体の最少許容公称断面に関係する通路の最少通路幅に合わされて、少なくとも部分的にこの通路へ入り込むことができる。【００１３】  接触ピン差込み開口がその全深さにわたって導体接続空間の幅より小さい不変な幅を持っているのではなく、導体接続空間へ至る接触ピン差込み開口の通路が、接触ピン差込み開口の方へ減少する通路幅を持っていると、特に有利である。これは、通路をふさぐことなく、電気導体のない端部が接触ピン差込み開口の通路へ比較的大きく入り込むのを可能にする。即ち接触ピン差込み開口は、差込み開口の方へ先細になる輪郭のため導体接続空間から離れて設けられている最少通路幅によって空けておかれる。【００１４】  例えば通路が導体接続空間に隣接して、断面を部分円状に先細にされる範囲を持つことができるので、接触ピン差込み開口の通路が、導体差込み開口の対称面外にある移動空間を形成し、従来のように断面が円形の電気導体の一部がこの移動空間へ入り込むことができる。【００１５】  通路の断面が円状の範囲の半径が、差込みコネクタ用電気導体の所定の公称断面に合わされ、これになるべく一致していると有利である。【００１６】  更に少なくとも１つの接触ピン差込み開口の通路が、接触ピン差込み開口から導体接続空間の方へ先細になる範囲を持っていると、有利である。先細は連続的（例えば円錐）または不連続（たとえば段部を持つ）であってもよい。その場合同様に、電気導体の絶縁物のない端部に対する接触ピンの接触部分が、通路外の接触ピン差込み開口の範囲における接触ピンより小幅であるように、接触ピンの輪郭が通路の先細形状に合わされるようにする。それにより、接触ピンを差込む際、接触ピンの十分な案内が行われるので、接触ピンに規定されたように差込むことができる。同時に所定の狹い接触面への接触力の集中が行われる。その結果接触の安全性が高まり、接触抵抗が減少する。【００１７】  双極差込みコネクタの別の実施形態では、接触ピン差込み開口に、対向する２つの導体差込み開口が付属して、それぞれの導体接続空間へ通じている。付属する接触ピン差込み開口が２つの対向する通路を持ち、これらの通路がそれぞれ１つの導体接続空間へ通じている。それにより２つの電気導体をそれぞれの導体差込み開口へ導入し、共通な接触ピンに接触させることができる。その際接触ピン差込み開口は、両方の対向する導体接続空間と導体差込み開口との中間に位置している。【００１８】  絶縁物ハウジングが、少なくとも１つの接触ピン差込み開口の範囲に、接触ピン差込み開口へ導入される接触ピンの頭部の位置固定用絶縁物かぶさり部を持っていると有利である。こうして接触ピンは、絶縁物かぶさり部により接触ピン差込み開口へ導入され、所定の位置に保持される。【００１９】    ばね素子の締付け端部が、付属する導体差込み開口へ導入される電気導体なしの応力を除かれた状態で、接触ピン差込み開口へ入り込んでいないと、特に有利である。これにより通路への電気導体の入り込み深さが減少し、電気導体の絶縁物のない端部により接触ピン差込み開口がふさがれるのを防止される。これに関連して、ばね素子の締付け部分が、付属する導体差込み開口へ導入される電気導体なしの応力を除かれた状態で、接触ピン差込み開口に隣接する導体接続空間の横壁に当たっていると、有利である。【００２０】  差込みコネクタのすべての前記の実施形態は、更に押込み又は傾倒により通路内へ移動可能で接触ピンと電気導体の絶縁物のない端部との間に位置ぎめするために設けられている中間壁を持つことができる。中間壁は、電気導体の絶縁物のない端部が接触ピンの導体接触部分と重なる締付け個所の範囲にわたって延在するようにする。しかし導体接続空間へ至る通路の全長にわたって、第１のハウジング側から第２のハウジング側の方へ、中間壁が延在しているのがよい。【００２１】  中間壁が、接触ピン差込み開口へ多線可撓導体の線が侵入するのを防止し、導体接続空間への差込み過程において電気導体をその導体軸線の方向へ案内すると、中間壁は有利である。中間壁によるこの案内によって、多線可撓導体の個々の線の望ましくない裂開が回避される。【００２２】  中間壁が例えばその上端又は下端で通路の中へ揺動可能に絶縁物ハウジング内に支持されていてもよい。しかし中間壁が接触ピン差込み開口に形成される案内部により、なるべく平行に導体接続空間の方へ移動可能に絶縁物ハウジングの壁に支持されていることも、考えられる。中間壁が、通路に隣接する導体接続空間の横壁と共同作用しかつ接触ピン差込み開口内への中間壁の移動を限定するストッパを形成するストッパを例えば折返される側縁により持っていることも考えられる。その際接触ピン差込み開口へ最も大きく移動せしめられた位置で、ストッパは横壁に当接し、接触ピン差込み開口への中間壁のそれ以上の入り込みを防止する。【００２３】  本発明が添付図面を持つ実施例に基いて以下に詳細に説明される。
【図面の簡単な説明】
【００２４】
【図１ａ】差込みコネクタの第１実施例の側面断面図を示す。
【図１ｂ】ばね締付け範囲における図１ａの差込みコネクタの部分図を示す。
【図１ｃ】図１ａの差込みコネクタの平面断面図を示す。
【図１ｄ】中間壁を持つ図１ａの差込みコネクタの平面断面図を示す。
【図１ｅ】中間壁を持つ差込みコネクタの側面断面図を示す。
【図１ｆ】不変な通路幅を持つ図１ａの変わった差込みコネクタの平面断面図を示す。
【図２ａ】導体を差込まれた図１ａによる差込みコネクタの側面断面図を示す。
【図２ｂ】図２ａの差込みコネクタの部分図を示す。
【図２ｃ】導体を差込まれた図２ａの差込みコネクタの平面断面図を示す。
【図３ａ】導体及び接触ピンを差込まれた図１ａによる差込みコネクタの側面断面図を示す。
【図３ｂ】図３ａの差込みコネクタの部分図を示す。
【図３ｃ】導体及び接触ピンを差込まれた図３ａの差込みコネクタの平面断面図を示す。
【図４ａ】接触ピンを差込まれた図１ａの差込みコネクタの側面断面図を示す。
【図４ｂ】図４ｂの差込みコネクタの部分図を示す。
【図４ｃ】図４ａの差込みコネクタの平面断面図を示す。
【図５】図１〜４の差込みコネクタの斜視図を示す。
【図６】図５の差込みコネクタの斜視図を示す。
【図７ａ】接触ピンを導入された差込みコネクタの第２実施例の締付け範囲の部分図を示す。
【図７ｂ】図７ａによる部分図における差込みコネクタの平面断面図を示す。
【図８ａ】導体及び接触ピンを差込まれた差込みコネクタの第２実施例の側面断面図を示す。
【図８ｂ】導体及び接触ピンを差込まれた図７ａの差込みコネクタの部分図を示す
【図８ｃ】図８ａの差込みコネクタの平面断面図を示す。
【図９ａ】導体を導入された図８ａの差込みコネクタの部分図を示す。
【図９ｂ】導体を差込まれた図８ａの差込みコネクタの平面断面図を示す。
【図１０】前方湾曲部を持つ接触ピンの第１実施例を平面図、側面図、背面図及び斜視図で示す。
【図１１】前方湾曲部を持つ接触ピンの第２実施例を平面図、側面図、背面図及び斜視図で示す。
【図１２】前方湾曲部を持つ接触ピンの第３実施例を平面図、側面図、背面図及び斜視図で示す。
【図１３】接触ピンの第４実施例を平面図、側面図、背面図及び斜視図で示す。
【図１４】円錐状先端を持つ接触ピンの第５実施例を平面図、側面図、背面図及び斜視図で示す。
【図１５】接触ピンの第６実施例を平面図、側面図、背面図及び斜視図で示す。
【図１６】接触ピンの第７実施例を平面図、側面図、背面図及び斜視図で示す。
【図１７】接触ピンの第８実施例を平面図、側面図、背面図及び斜視図で示す。
【図１８】接触ピンの第９実施例を平面図、側面図、背面図及び斜視図で示す。
【発明を実施するための形態】
【００２５】  図１ａから、絶縁物ハウジング２及び絶縁物ハウジング２の導体接続空間４に設けられているばね素子３を持つ差込みコネクタ１の実施例が分かる。導体接続空間４には、第１のハウジング側５から、中心軸線Ｍの周りに縦方向に延在する導体差込み開口６が通じている。反対側にある第２のハウジング側７から、導体差込み開口６に対して平行な向きを持つ接触ピン差込み開口８が、絶縁物ハウジング２へ入り込んでいる。導体差込み開口６と接触ピン差込み開口８の延在方向が互いに逆向きであることがわかる。
【００２６】  接触ピン差込み開口８は、締付け個所より上で導体差込み開口６の漏斗状先細り部のほぼ端部から始まって締付け個所より下で端部ストッパ１０へ至る範囲に、電気導体用導体接続空間４への通路９を持っている。この通路９へ電気導体が少なくとも部分的に入り込むことができ、接触ピンも同様に反対側から通路９へ入り込んで、電気導体の絶縁物のない端部に電気接触することができる。
【００２７】  接触ピン差込み開口の上端には、導入される接触ピンの上部自由端の位置を固定するための絶縁物かぶさり部１１が設けられている。
【００２８】  図１ｂから、図１の差込みコネクタ１の一部の断面が分かる。通路９が導体接続空間４に隣接して導体差込み開口６の輪郭外に設けられ、接触ピン差込み開口８と導体接続空間４との間の移行部を形成していることは明らかである。
【００２９】  電気導体が差込まれることなくばね素子３の応力を除かれた終端位置で、ばね素子３の締付け端部１２が導体差込み開口６の壁に当接し、通路９へ入り込むことはない。ばね素子３の自由端１２は従って通路９から常に離されている。
【００３０】  これは、図１ａ及び図１ｂの差込みコネクタの平面断面図を示す図１ｃから一層明らかになる。これからわかるように、導体差込み開口６は接触ピン差込み開口８より著しく幅が広い。通路９の幅は、接触ピン差込み開口８の幅Ｂ１から、導体接続空間４又はその上に設けられる導体差込み開口６へ増大している。通路９の最大幅は導体接続空間４の幅Ｂ２より小さい。これにより、ばね素子３の自由締付け端部１２が導体接続空間４又はそこへ移行する導体差込み開口６の壁へ当たる。
【００３１】  図１ｄから、中間壁Ｚを持つ図１の差込みコネクタの実施例がわかる。これからわかるように、中間壁Ｚは通路９の中へ移動可能であり、その両側縁にストッパを持ち、これらのストッパが通路９に隣接する導体接続空間４のストッパを形成する横壁と共同作用して、中間壁Ｚが横壁のストッパに当接する際、接触ピン差込み開口８へそれ以上入り込むことができない。
【００３２】  図示した実施例又は例えば揺動可能に又は接触ピン差込み開口の案内部に移動可能に支持される他の実施例の中間壁は、図１ａに示す種類の差込みコネクタに関連して使用可能であるのみならず、接触ピン差込み開口にある通路及び減少された幅の接触ピン差込み開口を持つ差込みコネクタのすべての考えられる実施例のために使用可能である。中間壁により、導体接続空間４の下端にある導体捕捉ポケットの中まで電気導体の絶縁物のない端部の改善された案内が行われ、多線可撓電気導体の個々の線の望ましくない裂開及び接触ピン差込み開口の中への個々の線の入り込みが回避される。
【００３３】  図１ｅは中間壁Ｚを持つ差込みコネクタの側面断面図を示す。これからわかるように、中間壁Ｚが通路９へ入り込み、電気導体１３の絶縁物のない端部１４と接触ピン１５との間にある。中間壁Ｚは、例えば一方の側で電気導体１３の絶縁物のない端部に接触しかつ他方の側で接触ピン１５に接触する所定の接触範囲Ｋ１及びＫ２を持っている。前方湾曲部の形の接触範囲Ｋ１及びＫ２は、減少した接触面へのばね素子３の接触力の集中、従って接触信頼性及び通電の改善を行う。
【００３４】  図１ｆは図１ａの変わった差込みコネクタの平面断面図を示し、通路９は不変な通路幅Ｂ１を持っている。その場合通路９は突然の幅変化でもっと幅の広い導体接続空間４へ移行している。
【００３５】  図２ａは、電気導体１３を差込まれた図１ａの差込みコネクタの断面図を示し、絶縁物を除かれた自由端１４が導体接続空間４へ入り込んでいる。ばね素子３の自由締付け端部１２は、今や接触ピン差込み開口８から離れるように移動されている。接触ピン差込み開口８の方へのばね素子３のばね力により、絶縁物のない端部１４は、その全長にわたって平行に、接触ピン差込み開口８の通路９へ押込まれる。差込みコネクタ１の特別な実施例のため電気導体の最少許容直径より小さい通路９の通路幅のため、電気導体１３の絶縁物のない端部１４が接触ピン差込み開口８へ大きく入り込んで、接触ピンをもはや第２のハウジング側７から接触ピン差込み開口８へ導入できないようにこの差込み開口８をふさぐのを防止される。
【００３６】  図２ｂは図２ａの差込みコネクタの一部を示す。これから更にわかるように、電気導体１３は絶縁物のない端部１４と共に、導体差込み開口６の中心軸線Ｍの周りの導体差込み開口６の輪郭から、導体差込み開口６外にある接触ピン差込み開口８の通路９へ移動されている。
【００３７】  図２ｃはこの事情を再度平面断面図で示している。その際明らかなように、電気導体１３の絶縁物のない端部１４の弓形部分が、通路９及びそれに隣接する接触ピン差込み開口８に、この差込み開口９をふさぐことなく入り込んでいる。その理由は、通路９の最大通路幅が電気導体１３の絶縁物のない端部１４の直径より小さく、従って弓形部分の弦が所定の限定を受けるからである。
【００３８】  しかし重要なことは、通路９の最少通路幅が構造的に、差込みコネクタ１のために考慮される電気導体１３の最少許容断面に合わされて、最少通路幅が電気導体の最少許容断面より小さいようにすることである。こうして、電気導体１３が完全に接触ピン差込み開口８へ入り込んで、接触ピン差込み開口８をふさぐのを防止される。
【００３９】  図３ａは、電気導体１３が導体差込み開口６に導入され、接触ピン１５が接触ピン差込み開口８に導入されている点を別として、図１ａ及び２ａの差込みコネクタ１の断面図を示す。接触ピン１５は上部範囲に前方湾曲部の形の導体接触部分１６を持ち、前方湾曲部が通路９から導体接続空間４へ少し入り込むようになっている。電気導体１３を図２ａにおけるように差込みコネクタ１へ導入した後、接触ピン１５を導入すると、電気導体１３の絶縁物のない端部１５が、接触ピン１５及びその前方湾曲部により、ばね素子３のばね力に抗して通路９から導体接続空間４の方へ押出される。こうしてばね素子３の締付け端部１２の締付け力が、電気導体１３の絶縁物のない端部１４及び力の流れ方向に見て対向する接触ピン１５の前方湾曲部（導体接触部分１６）へ集中される。電気導体１３は導体差込み開口６及び通路９内で自由に可動で平行に移動可能であるが、接触ピンの上部の先細になる端部は、絶縁物のかぶさり部１１により位置を固定される。下部範囲にある別の固定前方湾曲部１７は端部ストッパ１０に当接して、接触ピン１５を固定し、特に接触ピンの傾倒を防止する。
【００４０】  図３ｂは締付け個所の範囲における図３ａの差込みコネクタの部分図を示す。これからわかるように、電気導体１３の絶縁物のない端部１４が、ばね素子３の締付け力に抗して通路９から導体接続空間４へ移動されている。電気導体１３の絶縁物のない端部１４が、接触ピン１５の前方湾曲部（導体接触部分１６）により形成される締付け個所の範囲で絶縁物ハウジング２の絶縁物に当接せず、従ってばね力が電気導体１３の絶縁物のない端部１４により接触ピン１５の前方湾曲部へ集中されるようにすることも、考えられる。前方湾曲部により、ばね素子３のばね力が集中される所定の小さい接触面が形成される。こうしてできるだけ小さい接触抵抗及びできるだけ大きい電流負荷容量を持つ良好な電気接触が保証される。
【００４１】  図３ｃは、電気導体１３及び接触ピン１５を差込まれた図３ａの差込みコネクタ１の平面断面図を示す。この図から、電気導体１３の絶縁物のない端部１４が、接触ピン１５によりばね素子３のばね力に抗して導体接続空間４の方へ押されることがわかる。その結果電気導体１３の絶縁物のない端部１４の減少された弓形部分のみが、通路９の壁に接触することなく通路９へ入り込む。従ってばね素子３のばね力は、絶縁物による吸収なしに、絶縁物のない端部１４を通って接触ピン１５へ集中される。
【００４２】  図４ａは図１〜３の差込みコネクタの断面図を示す。前の図とは異なり、接触ピン１５のみが接触ピン差込み開口へ導入されている。その際明らかなように、接触ピン１５の前方湾曲部は通路９を通って導体接続空間４へ入り込んでいる。例えば導体差込み開口６の中心軸線Ｍに対して平行に延在する前方湾曲部の接触面は、電気導体１３が差込まれないので応力をかけられない状態でばね素子３の自由締付け端部１２が占める接触面にすぐ隣接している。これにより電気導体の導入の際、ばね素子３が電気導体１３の絶縁物のない端部１４によりできるだけ最大に移動される。その結果ばね素子３が、締付け端部１２を介して電気導体１３及び接触ピン１５の前方湾曲部へ、ばね素子３の最適化される締付け力を及ぼす。
【００４３】  この事情は、図４ｂの部分図及び特に図４ｃの平面断面図から一層明らかになる。ばね素子３の自由締付け端部１２は導体接続空間４の横壁に当たるが、接触ピン１５の前方湾曲部は、締付け端部１２に対しわずかな間隙を残して通路９へ入り込む。
【００４４】  図５は上述した差込みコネクタ１の斜視断面図を示す。導体接続空間４へ移行する導体差込み開口６のホッパ状構成が特にわかる。ホッパ上導体差込み開口６は、導体接続空間４の幅に一致する幅を持つ正方形輪郭に終わっている。これに隣接して幅は、接触ピン差込み開口８の方へ減少し、その際ばね素子３の締付け端部１２が当たる導体接続空間４の横壁に隣接して、先細になる通路９が与えられる。
【００４５】  更にわかるように差込みコネクタ１は、互い違いにずれて付属する導体接続空間４及びばね素子３を有する複数の導体差込み開口６を持ち、こうしてできるだけ少ない空間で、できるだけ多数の電気導体及び付属する接触ピンを接続することができる。
【００４６】  導体差込み開口６のそばに、ばね素子３の方へ開くそれぞれ１つの検査開口１７があり、それによりそれぞれのばね素子３の電位を測定することができる。
【００４７】  図６は、差込みコネクタ１の絶縁物ハウジング２の上部を見た斜視図を示す。これからわかるように、通路９は導体差込み開口６の正方形範囲の（たとえば対称な）輪郭外に通路９が設けられて、締付け個所の周りに軸線方向長さにわたって電気導体が通路９へ入り込むのを可能にする。
【００４８】  さらに電気導体１３の絶縁物のない端部１４により接触ピン差込み開口８がふさがれるのを防止するように、通路９の通路幅が減少されていることがわかる。
【００４９】  図７ａは差込みコネクタ１の第２実施例の一部を示す。ここでも接触ピン１５の前方湾曲部の形の導体接触部分１６が、導体差込み開口６の通路９へ入り込んでいる。しかし前方湾曲部は、接触ピン１５の隣接する中間片に比べて減少した幅を持ち、図７ｂの平面断面図に示されているように、なるべく錐状に先細になっている。上述した実施例と異なり、接触ピン差込み開口８は、導体接続空間４の方へ、通路９が再び広がる範囲まで先細になっている。図示した実施例では、接触ピン差込み開口８から導体接続空間４へ先細になる通路９の部分は錐状に先細であるが、それに隣接する通路９の部分の断面は導体接続空間４へ部分円状に広がっている。
【００５０】  図７ｂからわかるように、前方湾曲部は通路９の錐状に先細になる部分に対応して、錐状に先細に形成されている。
【００５１】  図８ａは、電気導体１３及び接触ピン１５を導入された差込みコネクタ１の第２実施例を断面図で示す。ここで明らかなように、自由端へ先細になる前方湾曲部は、電気導体１３の絶縁物のない端部１４を、ばね素子３のばね力に抗して、通路９から導体接続空間４の方へ移動させる。こうして電気導体１３は、その縦軸線に対して平行に、通路９から導体差込み開口６の中へ移動せしめられる。
【００５２】  接触ピン差込み開口８から導体接続空間４の方へ錐状に先細になる通路９の部分は、接触ピン１５の断面を減少しすぎる必要なしに、通路９の通路幅を更に減少できる、という利点を持っている。
【００５３】  図８ｂは、電気導体１３及び接触ピン１５を差込まれた図８ａの差込みコネクタ１の一部を示す。これと図８ｃの平面断面図からわかるように、電気導体１３の絶縁物のない端部１４は、接触ピン１５の錐状に先細になる前方湾曲部により、ばね素子３のばね力に抗して、通路９から部分的に導体接続空間４へ押込まれる。その際締付け力は、錐状に先細になる前方湾曲部の小幅の接触端部（導体接触部分１６）へ集中し、その結果通電が改善される。
【００５４】  図９ａは、電気導体１３を差込まれるが、接触ピンのない図８ａの差込みコネクタ１を示す。これからわかるように、電気導体１３の一部が、その軸線方向長さにわたって接触ピン差込み開口８の通路９へ移動せしめられる。この移動は、ばね素子３のばね力により、導体軸線又は導体差込み開口６の中心軸線Ｍに対して平行に行われる。
【００５５】  図９ｂは、これを平面断面図により一層よくわかるようにしている。錐状に先細になり続いて部分円状に広がる通路９もわかる。
【００５６】  図１０〜１８は、接触ピン１５の異なる実施例を平面図、側面図、背面図及び斜視図で示す。
【００５７】  図１０に示す実施例では、導体接触部分１６を形成する前方湾曲部は、接触ピン１５自体と同じ幅を持っている。同じことが下部範囲にある固定前方湾曲部１７にも当てはまる。
【００５８】  印刷配線板の穴へ差込んでそこでろう付けできるようにするため、接触ピン１５は下端で少し錐状に先細になっている。
【００５９】  接触ピン１５の上部自由端も同様に錐状に先細になり、上端で丸められている。こうして接触ピン差込み開口８へ部分的に入り込む電気導体１３は、接触ピン差込み開口８から押出される。
【００６０】  図１１は、自由接触端部の方へ錐状に先細になる前方湾曲部（導体接触部分１６）を持つ接触ピン１５の、差込みコネクタ１の第２実施例に関連して既に説明した実施例を示す。固定前方湾曲部１７も錐状に先細に形成されている。
【００６１】  図１２は、図１０と対比可能な接触ピン１５の実施例を示し、固定前方湾曲部１７は丸められず、四角形である。これは絶縁物ハウジング２の絶縁物内で接触ピン１５の締付けを改善する。
【００６２】  図１３は接触ピン１５の実施例を示し、接触ピン１５の錐状に先細になる自由端から始まって、前方湾曲部が通路９の全長にわたって絶縁物ハウジングに対応している。
【００６３】  図１４は、上端で錐状に先細になる接触ピン１５の円柱状実施例を示す。この実施例のために、接触ピン差込み開口８の通路９も同様に、部分円状に導体接続空間４の方へ先細になっている。
【００６４】  図１５は、上部自由端が位置固定のため断面を三角形状に先細になる接触ピン１５の同様に円柱状の実施例を示す。
【００６５】  図１６は、図１５に対比可能な接触ピン１５の実施例を示すが、この接触ピンの断面は長円形である。こうして幅の狭い側が接触ピン差込み開口８の通路９へ入り込んで、隣接する電気導体１３のために接触個所を与えることができる。
【００６６】  図１７は図１６に類似な接触ピン１５の実施例を示すが、幅の狭い側は台形状に先細になっている。
【００６７】  図１８は、自由端の方へ三角形状に先細になる端部が長方形部分に続いている接触ピン１５の実施例を示す。長方形部分より下で、印刷配線板へ差込んでろう付けするため、接触ピン１５が正方形断面に終わっている。
【００６８】  図１４〜１８による接触ピン１５の対称な実施例は、１つの接触ピン１５のために２つ又はそれ以上の導体接続空間４が設けられている差込みコネクタ１に特に適しており、接触ピン１５は導体接続空間４の中間に位置決めされ、これらの導体接続空間４が共通な接触ピン１５として役立つ。
【図１ａ】
0005539809.tif 000002
【図１ｂ】
0005539809.tif 000003
【図１ｃ】
0005539809.tif 000004
【図１ｄ】
0005539809.tif 000005
【図１ｅ】
0005539809.tif 000006
【図１ｆ】
0005539809.tif 000007
【図２ａ】
0005539809.tif 000008
【図２ｂ】
0005539809.tif 000009
【図２ｃ】
0005539809.tif 000010
【図３ａ】
0005539809.tif 000011
【図３ｂ】
0005539809.tif 000012
【図３ｃ】
0005539809.tif 000013
【図４ａ】
0005539809.tif 000014
【図４ｂ】
0005539809.tif 000015
【図４ｃ】
0005539809.tif 000016
【図５】
0005539809.tif 000017
【図６】
0005539809.tif 000018
【図７ａ】
0005539809.tif 000019
【図７ｂ】
0005539809.tif 000020
【図８ａ】
0005539809.tif 000021
【図８ｂ】
0005539809.tif 000022
【図８ｃ】
0005539809.tif 000023
【図９ａ】
0005539809.tif 000024
【図９ｂ】
0005539809.tif 000025
【図１０】
0005539809.tif 000026
【図１１】
0005539809.tif 000027
【図１２】
0005539809.tif 000028
【図１３】
0005539809.tif 000029
【図１４】
0005539809.tif 000030
【図１５】
0005539809.tif 000031
【図１６】
0005539809.tif 000032
【図１７】
0005539809.tif 000033
【図１８】
0005539809.tif 000034